(57)【要約】【課題】操作部材でレバー部材を回動させて移動板を押し下げたり、あるいは押し上げてコンタクトを開くことによって、操作力を緩和して応力を小さくし寿命を延ばすようにする。【解決手段】上下動可能な操作部材と、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記操作部材によって前記移動板を上下動して前記コンタクトを開閉するためのレバー部材を有する。【選択図】　　　　図１
2004111215.tif 000002
【特許請求の範囲】
【請求項１】
上下動可能な操作部材と、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、
前記操作部材によって前記移動板を上下動して前記コンタクトを開閉するためのレバー部材を有することを特徴とするＩＣソケット。
【請求項２】
前記レバー部材は、ほぼ中間において回動可能に枢支され、上端が操作部材の押圧カム部材に係合し、下端が移動板のカム作動部に係合するように形成されていることを特徴とする請求項１記載のＩＣソケット。
【請求項３】
前記レバー部材は、前記操作部材の上下動によって回動されてカム作動部を介して前記移動板を上下動させてコンタクトを開閉することを特徴とする請求項１記載のＩＣソケット。
【請求項４】
前記コンタクトが、一対の弾性接片の間に前記移動板の格子状の仕切壁が配設されたことを特徴とする請求項１記載のＩＣソケット。
【請求項５】
前記コンタクトの弾性接片が内側に僅かにしぼった形状に彎曲され、前記移動板の仕切壁によって押し広げられるように形成されたことを特徴とする請求項４記載のＩＣソケット。
【請求項６】
前記一対の弾性接片の間に前記移動板の仕切壁が挟み込まれて配置されていることを特徴とする請求項４記載のＩＣソケット。
【請求項７】
前記操作部材の押し下げによって前記レバー部材が回動されて、カム面を介して前記移動板が下方に移動されることを特徴とする請求項１記載のＩＣソケット。
【請求項８】
前記レバー部材の軸部と前記移動板との間に中継部材が入れられることを特徴とする請求項２記載のＩＣソケット。
【発明の詳細な説明】
【０００１】
【発明の属する技術分野】
本発明は、ソケット本体のコンタクトと電子部品等のパッケージであるＩＣパッケージの外部接点との開閉を行う電子部品用ソケットに関するもので、特に、コンタクトの弾性接片がＩＣパッケージの外部接点を挟み込んで接続するように適用されるＩＣソケットに係わるものである。
【０００２】
【従来の技術】
従来、電子部品としてのＩＣパッケージ等は、ＩＣソケットのソケット本体に装着し、格子状に形成された移動板を横方向に移動して、挟み込みコンタクトを開閉してＩＣパッケージと接続するようにしたＩＣソケットが知られている。
【０００３】
従来におけるこのようなＩＣソケットにおいては、挟み込みコンタクトが固定側の弾性接片と可動側の弾性接片とをほぼ平行に延びるように配置して成り、固定側の弾性接片に対して可動側の弾性接片を、格子状または櫛歯状の仕切壁を有する移動板によって水平横方向に移動して開閉するように形成されていて、コンタクトによってＩＣパッケージの外部接点を挟み込んで接続するように構成されている。（例えば、特許文献１参照）。
【０００４】
【特許文献１】
特開２０００−４８９２３号公報（第２頁、第１、２図）
【０００５】
【発明が解決しようとする課題】
しかしながら、このような従来のＩＣソケットにおいては、コンタクトを開放する時に、カバー部材としての操作部材を押し下げてカム機構を介して、コンタクトの一方の弾性接片を、開放方向と同一方向に移動板を移動させることで、コンタクトを開くようにしている。このためＩＣソケットは、開放時にコンタクトを開くための操作部材の操作力がかなり大きくなり、相当な押し下げ力が必要となる。
【０００６】
従って、本発明の目的は、このような従来における問題を解決するために、操作部材でレバー部材を回動させて移動板を押し下げたり、あるいは押し上げてコンタクトを開くことによって、操作力を緩和して応力を小さくし寿命を延ばすようにしたＩＣソケットを提供することにある。
【０００７】
【課題を解決するための手段】
上述の目的を達成するために、本発明のＩＣソケットは、上下動可能な操作部材と、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記操作部材によって前記移動板を上下動して前記コンタクトを開閉するためのレバー部材を有することを特徴とする。
【０００８】
また、本発明のＩＣソケットは、前記レバー部材が、ほぼ中間において回動可能に枢支され、上端が操作部材の押圧カム部材に係合し、下端が移動板のカム作動部に係合するように形成されていることを特徴とする。
【０００９】
さらに、本発明のＩＣソケットは、前記レバー部材が、前記操作部材の上下動によって回動されてカム作動部を介して前記移動板を上下動させてコンタクトを開閉することを特徴とする。
【００１０】
さらにまた、本発明のＩＣソケットは、前記コンタクトが、一対の弾性接片の間に前記移動板の格子状の仕切壁が配設されたことを特徴とする。
【００１１】
本発明のＩＣソケットは、前記コンタクトの弾性接片が内側に僅かにしぼった形状に彎曲され、前記移動板の仕切壁によって押し広げられるように形成されたことを特徴とする。
【００１２】
また、本発明のＩＣソケットは、前記一対の弾性接片の間に前記移動板の仕切壁が挟み込まれて配置されていることを特徴とする。
【００１３】
さらに、本発明のＩＣソケットは、前記操作部材の押し下げによって前記レバー部材が回動されて、カム面を介して前記移動板が下方に移動されることを特徴とする。
【００１４】
さらにまた、本発明のＩＣソケットは、前記レバー部材の軸部と前記移動板との間に中継部材が入れられることを特徴とする。
【００１５】
本発明のＩＣソケットの他の実施例においては、前記移動板を押し下げできるように圧縮ばね部材によって弾性支持されることを特徴とする。
【００１６】
また、本発明のＩＣソケットの他の実施例においては、前記移動板を押し上げできるように引張ばね部材によって弾性支持されることを特徴とする。
【００１７】
本発明のその他の目的や特徴および利点は、添付図面に示される本発明のＩＣソケットの実施形態についての以下の詳細な説明から明らかである。
【００１８】
【発明の実施の形態】
（実施例１）
図１および図２は、本発明の電子部品用ソケットとしての、例えばＩＣソケットの実施例１を示す概要説明図で、図１は、ＩＣソケットのフリー状態、すなわち閉合状態の時の中央縦断面図、図２は、図１のＩＣソケットのフルストローク状態、すなわちオープン状態の時の中央縦断面図である。
【００１９】
図１および図２に示されるように、本発明の実施例１における電子部品用ソケットとしてのＩＣソケット１は、電子部品としてのＩＣパッケージ１０を装着して電気的接続を形成する挟み込み形のコンタクト４を有するタイプのＩＣソケットである。
【００２０】
このような本発明のＩＣソケット１は、ソケット本体２と、このソケット本体２に対して複数個のコイルばねのようなばね部材１４によって上下動可能に弾性支持された操作部材３とを有している。また、ＩＣソケット１は、ソケット本体２に基端部において固設され、装着されたＩＣパッケージ１０と電気的接続を形成する複数個の挟み込み形のコンタクト４と、ソケット本体２内に複数個の圧縮コイルばねのようなばね部材１５によって上下動可能に弾性支持されて格子状または櫛歯状の仕切壁８とカム作動部９が設けられた移動板５と、ソケット本体２内に回動可能に設けられた一対のレバー部材６とを有している。
【００２１】
このような本発明のＩＣソケット１において、ソケット本体２は箱形をなしている。この箱形のソケット本体２の底部には、複数個の挟み込み形のコンタクト４がその基端部において固設されていて、装着されたＩＣパッケージ１０の球状または半球状の外部端子１１と電気的接続を形成するように構成されている。
【００２２】
また、ソケット本体２の上部には、１つ、または複数個のコイルスプリングのようなばね部材１４によって、操作部材３が上下動可能に弾性支持されており、この操作部材３の底面に偏平なくさび形の押圧カム部材７が下方に垂下、すなわち突出するように設けられている。従って、操作部材３の下方への押し下げによって、押圧カム部材７とレバー部材６とを介して移動板５によって、後述するようにコンタクト４が開かれるようになる。
【００２３】
このような本発明のＩＣソケット１において、コンタクト４は、一対の弾性接片１２ａ、１２ｂから成っている。これら弾性接片１２ａ、１２ｂは、上方に向ってほぼ平行に延びるように基端部においてソケット本体２の底部に互いに固着されている。これら弾性接片１２ａと弾性接片１２ｂとの間に移動板５の格子状または櫛歯状の仕切壁８が位置するように配設されていて、弾性接片１２ａ、１２ｂがそれぞれ隔絶されている。
【００２４】
このような移動板５の仕切壁８は、コンタクト４の一対の弾性接片１２ａ、１２ｂを左右に向って押し広げて開くことができるように断面形状が細長い三角形やくさび形等に形成されるのが好適である。また、コンタクト４の弾性接片１２ａ、１２ｂは、先端部分の下方部分において絞られるように内側に僅かに屈曲されていて、屈曲部１２ｃ、１２ｄを有するように形成されている。
【００２５】
従って、このようなコンタクト４の弾性接片１２ａ、１２ｂは、移動板５が下方に押圧される時に、移動板５の仕切壁８によって外方に向って押圧されることによって、屈曲部１２ｃ、１２ｄにおいて弾性接片１２ａ、１２ｂの先端部が外方に向って押し開かれるようになる。
【００２６】
さらに、ソケット本体２内には左右にレバー部材６、６がそれぞれ回動可能に設けられている。各レバー部材６は、中程より幾分下方の中間において回動軸１６によって回動可能に枢支されている。各レバー部材６の上端に押圧軸１７が設けられていて、その下端に作動軸１８が設けられている。レバー部材６の上端の押圧軸１７が操作部材３の押圧カム部材７のカム面１３に係合できるように形成されており、その下端の作動軸１８が移動板５のカム作動部９のカム面１９に係合できるように形成されている。
【００２７】
このレバー部材６は、回動軸１６と押圧軸１７との間の距離ａが、回動軸１６と作動軸１８との間の距離ｂよりも十分に大きくなるように決められている。これによってレバー部材６では、梃子の原理により押圧軸１７に作用される力ｆが拡大されて作動軸１８に作用される大きな力Ｆが得られるように軸間距離が選ばれている。
【００２８】
従って、レバー部材６においては、ａ・ｆ＝ｂ・Ｆとなる軸間距離の関係が得られ、これによって、Ｆ＝ｆ・ａ／ｂの関係が得られる。これにより、操作部材３の押し下げによってレバー部材６の上端の押圧軸１７に作用される力ｆが増大されて、作動軸１８に作用される大きな力Ｆとなる。結果としてこの実施例では、小さな押し下げ力によって、十分に大きな作動力が作動軸１８に作用されるようになり、操作力を緩和することができる。
【００２９】
このように構成された本発明のＩＣソケット１によれば、図１に示されるソケットフリー状態において、操作部材３を下方に押し下げれば、操作部材３の押し下げによってばね部材１４が圧縮されて押圧カム部材７のカム面１３がレバー部材６の押圧軸１７に係合して押圧軸１７を押す。これによってＩＣソケット１では、レバー部材６が回動軸１６を中心として回動されて作動軸１８が移動板５のカム作動部９のカム面１９と係合して内側に向ってカム面１９を押し、カム作動部９が下方に移動されてばね部材１５を圧縮するようになる。結果として、この実施例では、この移動板５の下方への移動によって仕切壁８がコンタクト４の弾性接片１２ａ、１２ｂの屈曲部１２ｃ、１２ｄを外方に向って押し開くように作用するので、コンタクト４は、図２に示されるように先端部が外側に向って押し開かれて開放されたオープン状態となる。
【００３０】
この時に、レバー部材６は梃子の原理によって押圧軸１７に作用される小さな力が、レバー部材６の回動軸１６からの押圧軸１７までの距離と作動軸１８までの距離との比に対応して十分に大きな作用力に拡大されるので、小さな作用力で大きな作動力が得られるようになり、操作力が緩和されるようになる。
【００３１】
従って、図２に示されるこのオープン状態において、操作部材３の開口部分からＩＣパッケージ１０を挿入してコンタクト４の上に載置することができるし、あるいは既に装着されていたＩＣパッケージ１０を取り出すことができるようになる。
【００３２】
こうしてＩＣパッケージ１０を挿入して装着したり、あるいはまた取り出した後に、操作部材３の押し下げを停止して、操作部材３をフリーにして自由な状態にすると次の様になる。すなわち、操作部材３は、ばね部材１４によって上方に向って押し上げられると同時に、移動板５もばね部材１５によって上方に向って押し上げられるために、カム作動部９のカム面１９がレバー部材６の作動軸１８を外方に向って押すように作用する。この作用により、レバー部材６は、回動軸１６を中心として回動されて上端の押圧軸１７が内方に向って動かされて、上昇する操作部材３の押圧カム部材７のカム面１３に沿って移動して、やがて操作部材３の押圧カム部材７のカム面１３がレバー部材６の押圧軸１７から完全に離れて、図１のフリー状態に戻るようになる。
【００３３】
このように、本発明のボール・グリッド・アレイ・タイプのＩＣパッケージ１０のためのＩＣソケット１において、コンタクト４を開放させるための移動板５を移動させるレバー部材６を含む新規な構成が得られ、梃子の原理を利用したレバー部材６によって操作力を好適に軽減することができる。
【００３４】
（実施例２）
図３および図４は、本発明の電子部品用ソケットとしてのＩＣソケットの実施例２を示す概要説明図で、図３は、ＩＣソケットのフリー状態、すなわち閉合状態の時の中央縦断面図、図４は、図３のＩＣソケットのフルストローク状態、すなわちオープン状態の時の中央縦断面図である。
【００３５】
図３および図４に示されるように、本発明の実施例２における電子部品用ソケットとしてのＩＣソケット２０も、先の実施例１と同様な挟み込み形のコンタクト２４を有するタイプのＩＣソケットである。実施例２では、基本的な構成は実施例１のものと実質的に同じであり、これに中継部材２１が、移動板２５のカム作動部２９のカム面３９と、レバー部材２６の作動軸３８との間に新たに加えられていることが異なっている。
【００３６】
このような本発明の実施例２におけるＩＣソケット２０は、ソケット本体２２と、このソケット本体２２に対して複数個のばね部材３４によって上下動可能に弾性支持された操作部材２３と、ソケット本体２２に基端部において固設されている。また、ＩＣソケット２０は、装着されたＩＣパッケージ３０と電気的接続を形成する複数個の挟み込み形のコンタクト２４と、ソケット本体２２内に複数個の圧縮コイルばねのようなばね部材３５によって上下動可能に弾性支持されて格子状または櫛歯状の仕切壁２８とカム作動部２９が設けられた移動板２５と、ソケット本体２２内に回動可能に設けられた一対のレバー部材２６とを有している。さらに、ＩＣソケット２０は、移動板２５のカム作動部２９のカム面３９と、その外側のレバー部材２６の作動軸３８との間に、断面形状がくさび形の中継部材２１が設けられている。
【００３７】
このような本発明のＩＣソケット２０において、ソケット本体２２は箱形をなしていて底部に、複数個の挟み込み形のコンタクト２４がその基端部において固設されていて、装着されたＩＣパッケージ３０の球状または半球状の外部端子３１と電気的接続を形成するように構成されている。また、ソケット本体２２の上部には、複数個のばね部材３４によって操作部材２３が上下動可能に弾性支持されており、この操作部材２３の底面に偏平なくさび形の押圧カム部材２７が下方に垂下、すなわち突出するように設けられている。従って、操作部材２３の下方への押し下げによって、押圧カム部材２７とレバー部材２６と中継部材２１とを介して移動板２５の仕切壁２８によって、後述するようにコンタクト２４が開かれるようになる。
【００３８】
このような本発明のＩＣソケット２０において、コンタクト２４は、一対の弾性接片３２ａ、３２ｂから成っている。これら弾性接片３２ａ、３２ｂは、上方に向ってほぼ平行に延びるように基端部においてソケット本体２２の底部に互いに固着されている。これら弾性接片３２ａと弾性接片３２ｂとの間に、移動板２５の格子状または櫛歯状の仕切壁２８が位置するように配設されていて弾性接片３２ａ、３２ｂがそれぞれ隔絶されている。このような移動板２５の仕切壁２８は、コンタクト２４の一対の弾性接片３２ａ、３２ｂを左右に押し広げて開くことができるように断面形状が細長い三角形やくさび形等に形成されるのが好適である。
【００３９】
また、コンタクト２４の弾性接片３２ａ、３２ｂは、先端部の下方部分において絞られるように内側に向って僅かに屈曲されていて屈曲部３２ｃ、３２ｄを有するように形成されている。
【００４０】
従って、このようなコンタクト２４の弾性接片３２ａ、３２ｂは、移動板２５が下方に押圧される時に、移動板２５の仕切壁２８によって互いに外方に向って押圧されるので、屈曲部３２ｃ、３２ｄにおいて弾性接片３２ａ、３２ｂの先端部がそれぞれ外方に向って押し開かれるようになる。
【００４１】
また、ソケット本体２２内には左右にレバー部材２６がそれぞれ回動可能に設けられている。各レバー部材２６は、中程より幾分下方の中間において回動軸３６によって回動可能に枢支されており、上端に押圧軸３７が設けられている。このレバー部材２６の下端に作動軸３８が設けられており、その上端の押圧軸３７が操作部材２３の押圧カム部材２７のカム面３３に係合できるように形成されいる。レバー部材２６の下端の作動軸３８は中継部材２１を介して移動板２５のカム作動部２９のカム面３９に係合できるように形成されている。
【００４２】
さらに、中継部材２１は、図示されるようにくさび形に形成されていて、カム作動部２９のカム面３９に対応するカム面２１ａが設けられており、これらカム面３９、２１ａにおいて互いにスライドすることができるように接触係合している。
【００４３】
さらにまた、レバー部材２６は、回動軸３６と押圧軸３７との間の距離が、回動軸３６と作動軸３８との間の距離よりも十分に大きい。このため、先の実施例１において説明したと同様に梃子の原理によって押圧軸３７に作用される小さな作用力が、大きく拡大されて作動軸３８に作用される大きな操作力となるように、回動軸３６と押圧軸３７の間と、回動軸３６と作動軸３８の間の、軸間距離が選ばれるように形成されている。従って、操作部材２３の押し下げによってレバー部材２６の上端の押圧軸３７に作用される作用力が増大されて作動軸３８に作用される大きな作動力となり、小さい押し下げ作用力によって、十分な作動力が作動軸３８に作用されるようになり、操作力を緩和することができる。
【００４４】
このように構成された本発明のＩＣソケット２０によれば、図３に示されるソケットフリー状態において、操作部材２３を下方に押し下げれば、操作部材２３の押し下げによってばね部材３４が圧縮されて押圧カム部材２７のカム面３３がレバー部材２６の押圧軸３７に係合して押圧軸３７を外方に向って押すことになる。これによって、レバー部材２６が回動軸３６を中心として回動されて作動軸３８が中継部材２１を内方に向って押すことになる。この結果、中継部材２１のカム面２１ａが、移動板２５のカム作動部２９のカム面３９と係合してカム面３９を押すことになり、結果として、この中継部材２１のカム面２１ａが、移動板２５のカム作動部２９のカム面３９を内方に押すことになる。この作用により、中継部材２１は、カム作動部２９のカム面３９に沿ってカム面２１ａが水平方向にスライドするようになる。
【００４５】
従って、中継部材２１のこの水平方向のスライドによって、移動板２５は、カム作動部３９が下方に押されるために下方への移動となって、ばね部材３５を圧縮するようになる。
【００４６】
このようにして、移動板２５は、カム作動部２９が下方に移動されてばね部材３５を圧縮するようになり、この移動板２５の下方への移動によって仕切壁２８がコンタクト２４の弾性接片３２ａ、３２ｂの屈曲部３２ｃ、３２ｄを外方に向って押し開くように作用する。この作用により、コンタクト２４は、図４に示されるように、先端部が外側へと向って押し開かれて開放されたオープン状態となる。
【００４７】
この時に、レバー部材２６は、梃子の原理によって押圧軸３７に作用される小さな力が、レバー部材２６の回動軸３６からの押圧軸３７までの距離と作動軸３８までの距離との比に対応して十分に大きな作用力に拡大される。この結果、小さな作用力で大きな作動力が得られるようになり、操作力が緩和されるようになる。
【００４８】
さらにまた、中継部材２１を、移動板２５のカム作動部２９とレバー部材２６の作動軸２８との間に入れることによって、移動板２５の上下変位量を変更することができるようになる。これにより、中継部材２１のサイズや形状等を適宜に選ぶことによって、移動板２５の変位量を所要するように決めることが可能になる。
【００４９】
従って、図４に示されるこのオープン状態において、操作部材２３の開口部分からＩＣパッケージ３０を挿入してコンタクト２４の上に載置することができるし、あるいは既に装着されていたＩＣパッケージ３０を取り出すことができるようになる。こうしてＩＣパッケージ３０を挿入して装着したり、あるいは取り出した後に、操作部材２３の押し下げを停止して、操作部材２３をフリーにして自由な状態にすると、操作部材２３は、ばね部材３４によって上方に押し上げられると同時に、移動板２５もばね部材３５によって押し上げられるために、カム作動部２９のカム面３９が、中継部材２１を介してレバー部材２６の作動軸３８を外方に向って押すことになる。結果として、レバー部材２６は、回動軸３６を中心として回動されて上端の押圧軸３７が内方に向って動かされて、上昇する操作部材２３の押圧カム部材２７のカム面３３に沿って移動して、やがて操作部材２３の押圧カム部材２７のカム面３３がレバー部材２６の押圧軸３７から完全に離れて、図３のフリー状態に戻るようになる。
【００５０】
このように、本発明のボール・グリッド・アレイ・タイプのＩＣパッケージ３０のためのＩＣソケット２０において、コンタクト２４を開放させるための移動板２５を移動させるレバー部材２６と、このレバー部材２６と係合して移動板２５の上下変位量を変更することができる中継部材２１等を含む新規な構成が得られ、梃子の原理を利用したレバー部材２６によって操作部材２３における操作力を好適に軽減することができる。
【００５１】
（実施例３）
図５および図６は、本発明の電子部品用ソケットとしてのＩＣソケットの実施例３を示す概要説明図で、図５は、ＩＣソケットのフリー状態、すなわち閉合状態の時の中央縦断面図、図６は、図５のＩＣソケットのフルストローク状態、すなわちオープン状態の時の中央縦断面図である。
【００５２】
図５および図６に示されるように、本発明の実施例３における電子部品用ソケットとしてのＩＣソケット４０は、電子部品としてのＩＣパッケージ５０を装着して電気的接続を形成する挟み込み形のコンタクト４４を有するタイプのＩＣソケットである。しかしながら、実施例３では、コンタクト４４を開くために移動板４５が押し上げられることが先の実施例１、２のものと異なっており、移動板４５の作動方向が上下逆になっているが、基本的な構成は上記実施例１、２のものと実質的に同じである。
【００５３】
このような本発明のＩＣソケット４０は、ソケット本体４２と、このソケット本体４２に対して複数個のばね部材５４によって上下動可能に弾性支持された操作部材４３とを有している。さらに、ＩＣソケット４０は、ソケット本体４２に基端部において固設されていて、装着されたＩＣパッケージ５０と電気的接続を形成する複数個の挟み込み形のコンタクト４４を有している。また、ＩＣソケット４０は、ソケット本体４２内に、複数個の引張コイルばねのようなばね部材５５によって下方に引張られるように上下動可能に弾性支持されて、かつ格子状または櫛歯状の仕切壁４８とカム作動部４９が設けられた移動板４５と、ソケット本体４２内に回動可能に設けられた一対のレバー部材４６とを有している。
【００５４】
このような本発明のＩＣソケット４０において、ソケット本体４２は箱形をなしている。この箱形のソケット本体４２の底部には、複数個の挟み込み形のコンタクト４４がその基端部において固設されていて、装着されたＩＣパッケージ５０の球状または半球状の外部端子５１と電気的接続を形成するように構成されている。また、ソケット本体４２の上部には、１つ、または複数個のコイルスプリングのようなばね部材５４によって操作部材４３が上下動可能に弾性支持されている。この操作部材４３の底面には、偏平なくさび形の押圧カム部材４７が下方に垂下、すなわち突出するように設けられている。従って、操作部材４３の下方への押し下げによって後述するようにコンタクト４４が開かれるようになる。
【００５５】
このような本発明のＩＣソケット４０において、コンタクト４４は、一対の弾性接片５２ａ、５２ｂから成っている。これら弾性接片５２ａ、５２ｂは上方に向ってほぼ平行に延びるように基端部においてソケット本体４２の底部において互いに固着されている。これら弾性接片５２ａと弾性接片５２ｂとの間に移動板４５の格子状または櫛歯状の仕切壁４８が位置するように配設されていて弾性接片５２ａ、５２ｂがそれぞれ隔絶されている。
【００５６】
また、この移動板４５の格子状または櫛歯状の仕切壁４８は、断面形状が細長い三角形またはくさび形をなしている。その先端は上方を向くように形成されており、このような仕切壁４８が上方に向って移動される時に、仕切壁４８によってコンタクト４４の弾性接片５２ａ、５２ｂがそれぞれ左右の方向に外方に向って押圧されて開かれるように形成されている。
【００５７】
さらに、コンタクト４４の弾性接片５２ａ、５２ｂは、先端部分の下方部分において絞られるように内側に向って僅かに屈曲されていて屈曲部５２ｃ、５２ｄを有するように形成されている。従って、このようなコンタクト４４の弾性接片５２ａ、５２ｂは、移動板４５が上方に向って押し上げられる時に、移動板４５の仕切壁４８によって外方に向って押圧される。この押圧により、屈曲部５２ｃ、５２ｄにおいて弾性接片５２ａ、５２ｂの先端部が外方に向って押し開かれるようになる。
【００５８】
さらにまた、ソケット本体４２内には左右にレバー部材４６がそれぞれ回動可能に設けられている。各レバー部材４６は、中程より幾分下方の中間において回動軸５６によって回動可能に枢支されている。レバー部材４６の上端に押圧軸５７が設けられていて、下端に作動軸５８が設けられている。このレバー部材４６の上端の押圧軸５７が操作部材４３の押圧カム部材４７のカム面５３に係合できるように形成されており、下端の作動軸５８が移動板４５のカム作動部４９のカム面５９に係合できるように形成されている。
【００５９】
さらに、レバー部材４６は、回動軸５６と押圧軸５７との間の軸間距離が、回動軸５６と作動軸５８との間の軸間距離よりも十分に大きく、先に実施例１、２において説明した梃子の原理によって、押圧軸５７に作用される小さな力が拡大されて作動軸５８に作用される大きな力となるようにそれぞれ軸間距離が選ばれるように形成されている。
【００６０】
従って、操作部材４３の押し下げによってレバー部材４６の上端の押圧軸５７に作用される作用力が増大されて作動軸５８に作用される大きな作動力となり、小さい押し下げ作用力によって、十分な作動力が作動軸５８に作用されるようになり、操作力を緩和することができる。
【００６１】
このように構成された本発明のＩＣソケット４０によれば、図５に示されるソケットフリー状態において、操作部材４３を下方に押し下げれば、操作部材４３の押し下げによってばね部材５４が圧縮されて押圧カム部材４７のカム面５３がレバー部材４６の押圧軸５７に係合して押圧軸５７を外側の方に押圧する。これによりこの実施例では、レバー部材４６が回動軸５６を中心として回動されて作動軸５８が移動板４５のカム作動部４９のカム面５９と係合してカム面５９を押す。これによって、移動板４５のカム作動部４９が上方に押し上げられてばね部材５５が引張られるようになる。このような移動板４５の上方への押し上げによって仕切壁４８がコンタクト４４の弾性接片５２ａ、５２ｂの屈曲部５２ｃ、５２ｄを下側から外方に向って押し開くように作用するので、コンタクト４４は、図６に示されるように、先端部が外側へと開かれて開放されたオープン状態となる。
【００６２】
この時に、レバー部材４６は、上述の実施例１、２において説明したように梃子の原理によって押圧軸５７に作用される小さな力が、レバー部材４６の回動軸５６からの押圧軸５７までの距離と作動軸５８までの距離との比に対応して十分に大きな作用力に拡大される。この結果、この実施例では、小さな作用力で大きな作動力が得られるようになり、操作力が緩和されるようになる。
【００６３】
従って、図６に示されるこのオープン状態において、操作部材４３の開口部分からＩＣパッケージ５０を挿入してコンタクト４４の上に載置することができるし、あるいは既に装着されていたＩＣパッケージ５０を取り出すことができるようになる。
【００６４】
こうしてＩＣパッケージ５０を挿入して装着したり、あるいは取り出した後に、操作部材４３の押し下げを停止して操作部材４３をフリーにして自由な状態にする。この結果、操作部材４３は、ばね部材５４によって上方に押し上げられると同時に、移動板４５が引張ばねのばね部材５５によって下方に向って引張られるようになる。このために、カム作動部４９のカム面５９がレバー部材４６の作動軸５８を外方に向って押すので、レバー部材４６は、回動軸５６を中心として回動されて上端の押圧軸５７が内方に向って動かされる。この結果、レバー部材４６の押圧軸５７は、上昇する操作部材４３の押圧カム部材４７のカム面５３に沿って移動する。やがて、操作部材４３の押圧カム部材４７のカム面５３がレバー部材４６の押圧軸５７から完全に離れて、移動板４５が下方に引張られた図５のフリー状態に戻るようになる。
【００６５】
このように、本発明のボール・グリッド・アレイ・タイプのＩＣパッケージ５０のためのＩＣソケット４０において、コンタクト４４を開放させるための移動板４５を上方に移動させるレバー部材４６を含む新規な構成が得られ、梃子の原理を利用したレバー部材４６によって操作力を好適に軽減することができる。
【００６６】
（実施例４）
図７および図８は、本発明の電子部品用ソケットとしてのＩＣソケットの実施例４を示す概要説明図で、図７は、ＩＣソケットのフリー状態、すなわち閉合状態の時の中央縦断面図、図８は、図７のＩＣソケットのフルストローク状態、すなわちオープン状態の時の中央縦断面図である。
【００６７】
図７および図８に示されるように、本発明の実施例４における電子部品用ソケットとしてのＩＣソケット６０は、電子部品としてのＩＣパッケージ７０を装着して電気的接続を形成する挟み込み形のコンタクト６４を有するオープントップタイプのＩＣソケットである。しかしながら、この実施例４では、コンタクト６４を開くために移動板６５が押し上げられることが先の実施例１、２のものと異なっていて、移動板６５の作動方向が上下逆になっているが、基本的な構成は上記実施例１、２および実施例３のものと実質的に同じである。さらにまた、これに加えて中継部材６１が、移動板６５のカム作動部６９のカム面７９と、レバー部材６６の作動軸７８との間に新たに付加されていることが上記実施例１ないし３のものと異なっている。
【００６８】
このような本発明の実施例４におけるＩＣソケット６０は、ソケット本体６２と、このソケット本体６２に対して複数個のばね部材７４によって上下動可能に弾性支持された操作部材６３とを有している。さらに、ＩＣソケット６０は、ソケット本体６２に基端部において固設されて、装着されたＩＣパッケージ７０と電気的接続を形成する複数個の挟み込み形のコンタクト６４を有する。また、ＩＣソケット６０は、ソケット本体６２内に複数個の引張コイルばねのようなばね部材７５によって上下動可能に弾性支持された移動板６５と、ソケット本体６２内に回動可能に設けられたレバー部材６６とを有している。この移動板６５は、格子状または櫛歯状の仕切壁６８とカム作動部６９が設けられている。さらにまた、ＩＣソケット６０は、移動板６５のカム作動部６９のカム面７９と、レバー部材６６の作動軸７８との間に中継部材６１が設けられている。
【００６９】
このような本発明のＩＣソケット６０において、ソケット本体６２は箱形をなしていて底部に、複数個の挟み込み形のコンタクト６４がその基端部において固設されていて、装着されたＩＣパッケージ７０の球状または半球状の外部端子７１と電気的接続を形成するように構成されている。また、ソケット本体６２の上部には、複数個のコイルスプリングのようなばね部材７４によって操作部材６３が上下動可能に弾性支持されている。さらに、この操作部材６３の底面には、偏平なくさび形の押圧カム部材６７が下方に垂下、すなわち突出するように設けられている。従って、操作部材６３の下方への押し下げによって後述するようにコンタクト６４が開かれるようになる。
【００７０】
このような本発明のＩＣソケット６０において、コンタクト６４は、一対の弾性接片７２ａ、７２ｂからなっている。これら弾性接片７２ａ、７２ｂは、上方に向ってほぼ平行に延びるように基端部においてソケット本体６２の底部に互いに固着されている。そして、これら弾性接片７２ａと弾性接片７２ｂとの間に、移動板６５の格子状または櫛歯状の仕切壁６８が位置するように配設されていて弾性接片７２ａ、７２ｂがそれぞれ隔絶されている。
【００７１】
また、このような移動板６５の格子状または櫛歯状の仕切壁６８は、断面形状が細長い三角形またはくさび形をなしていて、先端が上方を向くように形成されている。これにより、このような仕切壁６８が上方に向って移動される時に、仕切壁６８によってコンタクト６４の弾性接片７２ａ、７２ｂがそれぞれ左右の方向に外方に向って押圧されて開かれるように形成されている。
【００７２】
さらに、このようなコンタクト６４のこれら弾性接片７２ａ、７２ｂは、先端部分の下方部分において絞られるように内側に向って僅かに屈曲されていて屈曲部７２ｃ、７２ｄを有するように形成されている。従って、このようなコンタクト６４の弾性接片７２ａ、７２ｂは、移動板６５が上方に向って押し上げられる時に、移動板６５の仕切壁６８によって下側から外方に向って押圧される。この結果、弾性接片７２ａ、７２ｂは、屈曲部７２ｃ、７２ｄにおいて先端部がそれぞれ外方に向って押し開かれるようになる。
【００７３】
さらにまた、ソケット本体６２内には左右にレバー部材６６がそれぞれ回動可能に設けられている。各レバー部材６６は、中程より幾分下方の中間において回動軸７６によって回動可能に枢支されており、上端に押圧軸７７が設けられている。レバー部材６６の下端に作動軸７８が設けられており、その上端の押圧軸７７が操作部材６３の押圧カム部材６７のカム面７３に係合できるように形成されている。レバー部材６６の下端の作動軸７８は、中継部材６１を介して移動板６５のカム作動部６９のカム面７９に係合できるように形成されている。
【００７４】
さらに、レバー部材６６は、回動軸７６と押圧軸７７との間の軸間距離が、回動軸７６と作動軸７８との間の軸間距離よりも十分に大きく形成されている。従って、先の実施例１ないし３において説明したと同様に梃子の原理によって、押圧軸７７に作用される作用力が大きく拡大されて、作動軸７８に作用される大きな操作力となるように軸間距離が選ばれるように形成されている。
【００７５】
従って、操作部材６３の押し下げによって、レバー部材６６の上端の押圧軸７７に作用される作用力が増大されて、作動軸７８に作用される大きな作動力となる。この結果、小さい押し下げ作用力によって、十分な作動力が作動軸７８に作用されるようになり、操作力を緩和することができる。
【００７６】
このように構成された本発明のＩＣソケット６０によれば、図７に示されるソケットフリー状態において、操作部材６３を下方に押し下げる。この操作部材６３の押し下げによって、ばね部材７４が圧縮されて押圧カム部材６７のカム面７３がレバー部材６６の押圧軸７７に係合して押圧軸７７を押す。これによって、レバー部材６６は、回動軸７６を中心として回動されて、作動軸７８が中継部材６１を介して、移動板６５のカム作動部６９のカム面７９と係合してカム面７９を押す。この結果、カム作動部６９が上方に押し上げられて、ばね部材７５が引張られるようになる。このような移動板６５の上方への押し上げによって、仕切壁６８がコンタクト６４の弾性接片７２ａ、７２ｂの屈曲部７２ｃ、７２ｄを下側から外方に向って押し開くように作用する。これによって、コンタクト６４は、図８に示されるように先端部が外側へと開かれて開放されたオープン状態となる。
【００７７】
この時に、レバー部材２６は、上述の実施例１乃至３において説明したように梃子の原理によって押圧軸７７に作用される小さな力が、レバー部材６６の回動軸７６からの押圧軸７７までの距離と作動軸７８までの距離との比に対応して十分に大きな作用力に拡大される。結果として、この実施例では、小さな作用力で大きな作動力が得られるようになり、操作力が緩和されるようになる。
【００７８】
さらにまた、中継部材６１を、移動板６５のカム作動部６９とレバー部材６６の作動軸７８との間に入れることによって、移動板６５の上下変位量を変更することができるようになり、中継部材６１のサイズや形状等を適宜に選ぶことによって移動板６５の変位量を所要するように決めることが可能になる。
【００７９】
従って、図８に示されるこのオープン状態において、操作部材６３の開口部分からＩＣパッケージ７０を挿入してコンタクト６４の上に載置することができるし、あるいは既に装着されていたＩＣパッケージ７０を取り出すことができるようになる。
【００８０】
こうしてＩＣパッケージ７０を挿入して装着したり、あるいは取り出した後に、操作部材６３の押し下げを停止して操作部材６３をフリーにして自由な状態にする。これにより、操作部材６３は、ばね部材７４によって上方に押し上げられると同時に、移動板６５が、引張ばね等のばね部材７５によって下方に引張られる。このために、カム作動部６９のカム面７９が、中継部材６１を介してレバー部材６６の作動軸７８を外方に向って押す。これにより、レバー部材６６は、回動軸７６を中心として回動されて上端の押圧軸７７が内方に向って動かされて、上昇する操作部材６３の押圧カム部材６７のカム面７３に沿って移動する。やがて、操作部材６３の押圧カム部材６７のカム面７３は、レバー部材６６の押圧軸７７から完全に離れて、移動板６５が下方に引張られた図７のフリー状態に戻るようになる。
【００８１】
このように、本発明のボール・グリッド・アレイ・タイプのＩＣパッケージ７０のためのＩＣソケット６０において、コンタクト６４を開放させるための移動板６５を移動させるレバー部材６６と、このレバー部材６６と係合して移動板６５の上下変位量を変更することができる中継部材６１等を含む新規な構成が得られ、梃子の原理を利用したレバー部材６６によって操作力を好適に軽減することができる。
【００８２】
このように、本発明のＩＣソケットにおいては、コンタクトが両開きの挟み込みタイプであり、共に等しい変位量をもって開くことができ、コンタクトの弾性接片当りの変位量がそれぞれ半分で済み、しかも、操作部材を押し下げる小さな作用力で、レバー部材を介してレバー部材における梃子の原理を利用して大きな作動力を得て、操作力を好適に軽減することができ、応力が小さくなって寿命が延びる。
【００８３】
従って、上記のように構成された本発明のＩＣソケットにおいては、コンタクトの開閉操作が容易にでき、しかも、コンタクトが良好にＩＣパッケージの外部接点と接触でき、かつオープン時の移動板による引き離しを良好に行って、ＩＣパッケージの取り出しを容易にすることができ、実装作業の効率を向上し、かつ改善して寿命を延ばすことが出来る。
【００８４】
【発明の効果】
以上説明したように、本発明の請求項１記載のＩＣソケットは、上下動可能な操作部材と、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記操作部材によって前記移動板を上下動して前記コンタクトを開閉するためのレバー部材を有するので、レバー部材の梃子の原理を応用した作動によって操作力を軽減することができ、応力を小さくでき、寿命を長くすることができる。
【００８５】
本発明の請求項２記載のＩＣソケットは、前記レバー部材が、ほぼ中間において回動可能に枢支され、上端が操作部材の押圧カム部材に係合し、下端が移動板のカム作動部に係合するように形成されているので、レバー部材における梃子の原理を有効に利用することができる。
【００８６】
本発明の請求項３記載のＩＣソケットは、前記レバー部材が、前記操作部材の上下動によって回動されてカム作動部を介して前記移動板を上下動させてコンタクトを開閉するので、カム作用と梃子の原理を有用に組み合わせて利用することができ、簡単な構成に製作することができる。
【００８７】
本発明の請求項４記載のＩＣソケットは、前記コンタクトが、弾性接片の間に前記移動板の格子状の仕切壁が配設されているので、コンタクトの開閉を簡単、かつ良好に行うことができる。
【００８８】
本発明の請求項５記載のＩＣソケットは、前記コンタクトの弾性接片が内側に僅かにしぼった形状に彎曲され、前記移動板の仕切壁によって押し広げられるように形成されているので、移動板によってコンタクトを良好に開閉作動することができる。
【００８９】
本発明の請求項６記載のＩＣソケットは、前記弾性接片の間に前記移動板の仕切壁が挟み込まれて配置されているので、コンタクトの弾性接片を有効に移動板によって開閉することができ、簡単に製作することができる。
【００９０】
本発明の請求項７記載のＩＣソケットは、前記操作部材の押し下げによって前記レバー部材が回動されて、カム面を介して前記移動板が下方に移動されるので、カム機構とレバー機構の有用な組合せ作用によって好適にコンタクトを開閉作動することができる。
【００９１】
本発明の請求項８記載のＩＣソケットは、前記レバー部材の軸部と前記移動板との間に中継部材が入れられるので、レバー部材の有効な利用と共に、移動板の上下変位量を有効に変更することができ、中継部材の追加の簡単な構成によって好適に製作することができる。
【図面の簡単な説明】
【図１】本発明の電子部品用ソケットとしてのＩＣソケットの実施例１におけるフリー状態、すなわち閉合状態の時の中央縦断面図である。
【図２】図１の本発明のＩＣソケットのフルストローク状態、すなわちオープン状態の時の中央縦断面図である。
【図３】本発明のＩＣソケットの実施例２におけるフリー状態、すなわち閉合状態の時の中央縦断面図である。
【図４】図３の本発明のＩＣソケットのフルストローク状態、すなわちオープン状態の時の中央縦断面図である。
【図５】本発明のＩＣソケットの実施例３におけるフリー状態、すなわち閉合状態の時の中央縦断面図である。
【図６】図５の本発明のＩＣソケットのフルストローク状態、すなわちオープン状態の時の中央縦断面図である。
【図７】本発明のＩＣソケットの実施例４におけるフリー状態、すなわち閉合状態の時の中央縦断面図である。
【図８】図７の本発明のＩＣソケットのフルストローク状態、すなわちオープン状態の時の中央縦断面図である。
【符号の説明】
１　　　ＩＣソケット
２　　　ソケット本体
３　　　操作部材
４　　　コンタクト
５　　　移動板
６　　　レバー部材
７　　　押圧カム部材
８　　　仕切壁
９　　　カム作動部
１０　　ＩＣパッケージ
１１　　外部端子
１２ａ　弾性接片
１２ｂ　弾性接片
１２ｃ　屈曲部
１２ｄ　屈曲部
１４　　ばね部材
１５　　ばね部材
１６　　回動軸
１７　　押圧軸
１８　　作動軸
１９　　カム面
２０　　ＩＣソケット
２１　　中継部材
２２　　ソケット本体
２３　　操作部材
２４　　コンタクト
２５　　移動板
２６　　レバー部材
２７　　押圧カム部材
２８　　仕切壁
２９　　カム作動部
３０　　ＩＣパッケージ
３１　　外部端子
３２ａ　弾性接片
３２ｂ　弾性接片
３２ｃ　屈曲部
３２ｄ　屈曲部
３４　　ばね部材
３５　　ばね部材
３６　　回動軸
３７　　押圧軸
３８　　作動軸
３９　　カム面
４０　　ＩＣソケット
４２　　ソケット本体
４３　　操作部材
４４　　コンタクト
４５　　移動板
４６　　レバー部材
４７　　押圧カム部材
４８　　仕切壁
４９　　カム作動部
５０　　ＩＣパッケージ
５１　　外部端子
５２ａ　弾性接片
５２ｂ　弾性接片
５２ｃ　屈曲部
５２ｄ　屈曲部
５４　　ばね部材
５５　　ばね部材
５６　　回動軸
５７　　押圧軸
５８　　作動軸
５９　　カム面
６０　　ＩＣソケット
６１　　中継部材
６２　　ソケット本体
６３　　操作部材
６４　　コンタクト
６５　　移動板
６６　　レバー部材
６７　　押圧カム部材
６８　　仕切壁
６９　　カム作動部
７０　　ＩＣパッケージ
７１　　外部端子
７２ａ　弾性接片
７２ｂ　弾性接片
７２ｃ　屈曲部
７２ｄ　屈曲部
７４　　ばね部材
７５　　ばね部材
７６　　回動軸
７７　　押圧軸
７８　　作動軸
７９　　カム面
【図１】
2004111215.tif 000003
【図２】
2004111215.tif 000004
【図３】
2004111215.tif 000005
【図４】
2004111215.tif 000006
【図５】
2004111215.tif 000007
【図６】
2004111215.tif 000008
【図７】
2004111215.tif 000009
【図８】
2004111215.tif 000010